(57)【要約】【課題】  底面に把手口が形成されたホース接続部カバーを装着するタイプの掃除機の吸込用電動機が静電気によって誤動作を起すことを防止する。【解決手段】  ホース接続部カバー１０を装着した電気掃除機本体１の後面断面図を図６に示す。ホース接続部カバー１０の延長リブ１２とホース接続部２１の延長リブ２２が重ね合わされた状態で、電気的接点２３はホース継手部の側部（横）になるように配置され、ホース接続部カバー１０の底面に形成された把手口１３との間に隔壁が形成されている。延長リブ１２、２２が重なることにより、その分だけ絶縁距離が長くなり、制御線の信号に対する人の手の静電気の影響を除去することができ、吸引電動機の誤動作を防止できる。それ故、電気的接点をホース接続部２１の上部に配置しなくても、電気的接点がホース継手部の挿入口の側部（横）になるように配置することができる。【選択図】      図６
2006149672.tif 000002
【特許請求の範囲】
【請求項１】
吸込用電動機および集塵部を有すると共に、電気的接点を有するホース接続部を備えた電気掃除機本体と、一方端に前記電気掃除機本体のホース接続部に嵌合する電気的接点を有するホース継手部を備え、他方端に前記吸込用電動機を制御する手元制御部を具備するホース手元部を備えた可撓性ホースと、前記ホース継手部を前記ホース接続部に着脱自在に嵌合する電気掃除機において、前記ホース接続部には電気的接点を覆うホース接続部カバーを設け、該ホース接続部カバーと電気掃除機本体の前記ホース接続部にはそれぞれ延長リブを設け、該両リブが重なり合うように配置したことを特徴とする電気掃除機。
【請求項２】
前記ホース接続部の延長リブとホース接続部カバーの延長リブは、前記電気的接点と前記ホース接続部カバーの底面に形成された把手口との間に、隔壁を形成するように設けられていることを特徴とする請求項１記載の電気掃除機。
【請求項３】
前記ホース接続部の延長リブはホース接続部の内面の左右に渡って形成され、前記ホース接続部カバーの延長リブはホース接続部カバーの内面の左右に渡って形成されていることを特徴とする請求項１記載の電気掃除機。
【請求項４】
前記ホース接続部の延長リブの奥行方向の長さはホース接続部の前面近傍まで形成され、かつ前記ホース接続部カバーの延長リブの奥行方向の長さは、ホース接続部カバーの裏面近傍まで形成されていることを特徴とする請求項１記載の電気掃除機。
【請求項５】
前記電気的接点は、前記ホース接続部における前記ホース継手部の挿入口の側部（横）に配置されてなることを特徴とする請求項１または請求項２記載の電気掃除機。
【発明の詳細な説明】
【技術分野】
【０００１】
本発明は静電気による誤動作を防止する電気掃除機に関する。
【背景技術】
【０００２】
通常の電気掃除機は、図７に示すように、掃除機本体１の吸気口２のホース接続部に可撓性を有するホース３の一端をホース継手部９を介して接続すると共に、ホース３の他端に配設される接続管６に延長管４、４を着脱自在に接続し、該延長管４の端部に床用吸込具５が取り付けられる。ホース継手部９の中間には把手が取り付けられている。接続管６は、掃除機本体１の図示しない吸込用電動機を制御する手元制御部（スイッチ）７を有すると共に、接続管６の上面側に略三角形状の把手部８を一体的に形成している。
【０００３】
また、掃除機のホース継手部と掃除機本体のホース接続部間に掃除機本体およびホースとは着脱自在な把手を設けることにより、掃除機の収納、持ち運びの利便性、および掃除機使用時の操作性を向上させるものも知られている（例えば、特許文献１を参照）。
【０００４】
しかし、これらの電気掃除機では、可撓性ホースのホース継手部と把手の構成が個々に独立しているため、把手部を別個に設置する必要があり、スペースをとると共に、美観的にもすっきりしたものとは言えなかった。
【０００５】
そこで、電気的接点を有するホース接続部を備えた電気掃除機本体と、一方端に前記電気掃除機本体のホース接続部に嵌合する電気的接点を有するホース継手部を備えた可撓性ホースと、このホース継手部をホース接続部に着脱自在に嵌合する電気掃除機において、該ホース接続部には電気的接点を覆う、フロントカバーとも呼ばれるホース接続部カバーを設け、このホース接続部カバーの底面に把手口を形成したものが開発されている。
【特許文献１】特開２０００−２０１８６６号公報
【発明の開示】
【発明が解決しようとする課題】
【０００６】
電気的接点を有するホース接続部に、電気的接点を覆うために、底面に把手口を形成したホース接続部カバーを設けるタイプの従来の電気掃除機では、ホース継手部を掃除機本体のホース接続部に挿入したとき、ホース継手部の電気的接点がホース継手部の上部になるように配置している場合は、ホース接続部カバーの底面の把手口に指を掛けても問題はないが、ホース継手部を掃除機本体のホース接続部に挿入したとき、ホース継手部の電気的接点がホース継手部の側面（横）になるように配置している場合は、ホース接続部カバーの底面の把手口に指を掛けたとき、指と電気的接点との距離が僅かであり、人間の静電気により制御線の信号に影響を及ぼし吸込用電動機を誤動作させるという問題があった。そこで本発明は、底面に把手口が形成されたホース接続部カバーを装着するタイプの掃除機の吸込用電動機が静電気によって誤動作を起すことを防止できる電気掃除機を提供することを目的とする。
【課題を解決するための手段】
【０００７】
上記課題を解決するために、本発明の請求項１に係る電気掃除機は、吸込用電動機および集塵部を有すると共に、電気的接点を有するホース接続部を備えた電気掃除機本体と、一方端に前記電気掃除機本体のホース接続部に嵌合する電気的接点を有するホース継手部を備え、他方端に前記吸込用電動機を制御する手元制御部を具備するホース手元部を備えた可撓性ホースと、前記ホース継手部を前記ホース接続部に着脱自在に嵌合する電気掃除機において、前記ホース接続部には電気的接点を覆うホース接続部カバーを設け、該ホース接続部カバーと電気掃除機本体の前記ホース接続部にはそれぞれ延長リブを設け、該両リブが重なり合うように配置した構成とした。
【０００８】
こうして、ホース接続部カバーと電気掃除機本体の前記ホース接続部にはそれぞれ延長リブを設け、該両リブが重なり合うように配置したことにより、絶縁距離が長くなり、制御線の信号に対する人の手の静電気の影響を除去することができ、吸引電動機の誤動作を防止できる。
【０００９】
本発明の請求項２に係る電気掃除機は、吸込用電動機および集塵部を有すると共に、電気的接点を有するホース接続部を備えた電気掃除機本体と、一方端に前記電気掃除機本体のホース接続部に嵌合する電気的接点を有するホース継手部を備え、他方端に前記吸込用電動機を制御する手元制御部を具備するホース手元部を備えた可撓性ホースと、前記ホース継手部を前記ホース接続部に着脱自在に嵌合する電気掃除機において、前記ホース接続部には電気的接点を覆うホース接続部カバーを設け、該ホース接続部カバーと電気掃除機本体の前記ホース接続部にはそれぞれ延長リブを設け、該両リブが重なり合うように配置すると共に、前記ホース接続部の延長リブとホース接続部カバーの延長リブは、前記電気的接点と前記ホース接続部カバーの底面に形成された把手口との間に、隔壁を形成するように設けられる構成とした。
【００１０】
こうして、電気的接点とホース接続部カバーの底面に形成された把手口との間に隔壁を形成することができると共に、ホース接続部カバーとホース接続部の両延長リブが重なることにより、その分だけ絶縁距離が長くなり、制御線の信号に対する人の手の静電気の影響を除去することができ、吸引電動機の誤動作を防止できる。
【００１１】
本発明の請求項３に係る電気掃除機は、吸込用電動機および集塵部を有すると共に、電気的接点を有するホース接続部を備えた電気掃除機本体と、一方端に前記電気掃除機本体のホース接続部に嵌合する電気的接点を有するホース継手部を備え、他方端に前記吸込用電動機を制御する手元制御部を具備するホース手元部を備えた可撓性ホースと、前記ホース継手部を前記ホース接続部に着脱自在に嵌合する電気掃除機において、前記ホース接続部には電気的接点を覆うホース接続部カバーを設け、該ホース接続部カバーと電気掃除機本体の前記ホース接続部にはそれぞれ延長リブを設け、前記ホース接続部の延長リブはホース接続部の内面の左右に渡って形成され、前記ホース接続部カバーの延長リブはホース接続部カバーの内面の左右に渡って形成されていて、該両リブが重なり合うように配置した構成とした。
【００１２】
本発明の請求項４に係る電気掃除機は、吸込用電動機および集塵部を有すると共に、電気的接点を有するホース接続部を備えた電気掃除機本体と、一方端に前記電気掃除機本体のホース接続部に嵌合する電気的接点を有するホース継手部を備え、他方端に前記吸込用電動機を制御する手元制御部を具備するホース手元部を備えた可撓性ホースと、前記ホース継手部を前記ホース接続部に着脱自在に嵌合する電気掃除機において、前記ホース接続部には電気的接点を覆うホース接続部カバーを設け、該ホース接続部カバーと電気掃除機本体の前記ホース接続部にはそれぞれ延長リブを設け、前記ホース接続部の延長リブの奥行方向の長さはホース接続部の前面近傍まで形成され、かつ前記ホース接続部カバーの延長リブの奥行方向の長さは、ホース接続部カバーの裏面近傍まで形成されていて、該両リブが重なり合うように配置した構成とした。
【００１３】
こうして、ホース接続部カバーとホース接続部の両延長リブを左右方向、奥行き方向に十分な長さを確保でき、かつ、両延長リブが十分な長さで重なることにより、その分だけ絶縁距離が長くなり、制御線の信号に対する人の手の静電気の影響を除去することができ、吸引電動機の誤動作を防止できる。ことができる。
【００１４】
本発明の請求項５に係る電気掃除機は、吸込用電動機および集塵部を有すると共に、電気的接点を有するホース接続部を備えた電気掃除機本体と、一方端に前記電気掃除機本体のホース接続部に嵌合する電気的接点を有するホース継手部を備え、他方端に前記吸込用電動機を制御する手元制御部を具備するホース手元部を備えた可撓性ホースと、前記ホース継手部を前記ホース接続部に着脱自在に嵌合する電気掃除機において、前記ホース接続部には電気的接点を覆うホース接続部カバーを設け、該ホース接続部カバーと電気掃除機本体の前記ホース接続部にはそれぞれ延長リブを設け、該両リブが重なり合うように配置した構成とした電気掃除機において、または更に前記ホース接続部の延長リブとホース接続部カバーの延長リブは、前記電気的接点と前記ホース接続部カバーの底面に形成された把手口との間に、隔壁を形成するように設けられる構成とした電気掃除機において、前記電気的接点は、前記ホース接続部における前記ホース継手部の挿入口の側部（横）に配置された構成とした。
【００１５】
こうして、電気的接点とホース接続部カバーの底面に形成された把手口との間に隔壁を形成することができると共に、両延長リブが重なることにより、その分だけ絶縁距離が長くなり、制御線の信号に対する人の手の静電気の影響を除去することができ、吸引電動機の誤動作を防止できる。それ故、電気的接点をホース接続部の上部になるように配置しなくても、電気的接点をホース継手部の挿入口の側部（横）に配置することができる。
【発明の効果】
【００１６】
以上のように、本発明の電気掃除機は、電気的接点とホース接続部カバーの底面に形成された把手口との間に隔壁を形成することができると共に、ホース接続部カバーとホース接続部の両延長リブが重なることにより、その分だけ絶縁距離が長くなり、制御線の信号に対する人の手の静電気の影響を除去することができ、吸引電動機の誤動作を防止できる。それ故、電気的接点をホース接続部の上部になるように配置しなくても、電気的接点がホース継手部の挿入口の側部（横）になるように配置することができるので、ホース接続部カバー内の空間を有効に利用でき、ホース接続部カバーの縦方向の高さを低くでき、デザインの面でもスッキリしたものにすることができる。
【発明を実施するための最良の形態】
【００１７】
本発明の電気掃除機の実施形態の一例をキャニスタタイプ電気掃除機を対象として、図１〜図６を参照して説明する。図１は本発明のホース接続部カバーを装着した電気掃除機本体の正面斜視図、図２はホース接続部カバーを装着した電気掃除機本体の裏面斜視図、図３はホース接続部カバーを取外した電気掃除機本体の正面斜視図、図４はホース接続部カバーの裏面（内側）構成図、図５はホース接続部カバーと電気掃除機本体のホース接続部の装着推移断面図、図６はホース接続部カバーを装着した電気掃除機本体の後面断面図である。
【００１８】
図１のホース接続部カバーを装着した電気掃除機本体の正面斜視図と、図２の電気掃除機本体の裏面斜視図において、１は吸込用電動機および集塵部を有する電気掃除機本体、１０は電気掃除機本体１のホース接続部の電気的接点を覆うホース接続部カバー、１１はホース継手部（図示せず）を前記ホース接続部に着脱自在に嵌合するための挿入口である。ここでホース継手部は、吸込用電動機を制御する手元制御部を具備するホース手元部を備えた可撓性ホースを、電気掃除機本体のホース接続部に嵌合する電気的接点を有する部材である。
【００１９】
１３は操作者が手の指を引っ掛けて掃除機本体を持ち運ぶための把手となる把手口である。１９、２０はホース接続部カバー１０に形成され、ホース継手部の電気的接点の雄端子を受け入れる挿入孔である。ホース接続部カバー１０は掃除機本体の外観形状に沿うように、表面は緩やかな曲面をなして形成されている。
【００２０】
図３はホース接続部からホース接続部カバーを取外した状態の電気掃除機本体の正面斜視図である。２１は電気掃除機本体１のホース接続部、２２はホース接続部２１に形成された延長リブである。延長リブ２２はホース接続部２１の内面の左右に渡って形成され、また、前記ホース接続部２１の延長リブ２２の奥行方向の長さはホース接続部２１の前面近傍まで形成されており、後述するホース接続部カバー１０の延長リブと摺接して重ね合わせ可能な形状をなしている。
【００２１】
図４はホース接続部カバー１０の裏面（内側）の詳細な構成図である。図において、ホース接続部カバー１０の略中心にはホース継手部（図示せず）を前記ホース接続部２１に着脱自在に嵌合するための挿入口１１が設けられる。１２は延長リブであり、挿入口１１の円筒の外縁の一部を利用して、ホース接続部２１に形成された延長リブ２２と重なり合う形状にホース接続部カバー１０の内面の左右に渡って形成されている。また、前記ホース接続部カバー１０の延長リブ１２の奥行方向の長さは、ホース接続部カバー１０の裏面近傍まで形成されている
【００２２】
１３はホース接続部カバー１０の底面に開口形成された把手口。１４、１５は吸込用電動機からの制御線を接続する電気的接点の雌端子を挿入設置する雌端子収納部であり、それぞれ電源供給用と制御信号用の対をなして配置される。ホース継手部を掃除機本体１のホース接続部２１に挿入したとき、ホース継手部の側部（横）になるように配置されている。１６はホース接続部２１にホース接続部カバー１０をはめ込む時の固定部材である。１７、１８はそれぞれホース接続部カバー１０をホース接続部２１に固着するためのネジ孔である。
【００２３】
このように構成されたホース接続部カバー１０を電気掃除機本体１のホース接続部２１にはめ込む状態の推移を、図５を参照して説明する。図５（Ａ）において、ホース接続部カバー１０の部材を、上方に紙パックフック２５を有する電気掃除機本体１における、ホース接続部２１の対応する部材に向き合わせ位置決めする。図５（Ｂ）において、ホース接続部カバー１０の部材をホース接続部２１の対応する部材に近づけ、ホース接続部カバー１０の延長リブ１２をホース接続部２１の延長リブ２２に摺接し重ね合わせながら、徐々に、押し込んでいく。
【００２４】
図５（Ｃ）において、完全にホース接続部カバーが１０押し込まれ、ホース接続部２１にはめ込めが終了する。続いて、ネジ孔１７、１８を介して固定ネジにより両者を固定する。このように、延長リブ１２、２２が摺接して重なるような構成とすることにより、延長リブが案内の役目を果たし、取付けが簡単となり、掃除機の組み立てを容易にする。
【００２５】
ホース接続部カバー１０を装着した電気掃除機本体１の後面断面図を図６に示す。図から明らかなように、ホース接続部カバー１０の延長リブ１２とホース接続部２１の延長リブ２２が重ね合わされた状態で、電気的接点２３、２４はホース継手部の側部（横）になるように配置され、ホース接続部カバー１０の底面に形成された把手口１３との間に隔壁が形成されている。
【００２６】
このように、電気的接点とホース接続部カバー１０の底面に形成された把手口１３との間に隔壁を形成することができると共に、延長リブ１２、２２が重なることにより、その分だけ絶縁距離が長くなり、制御線の信号に対する人の手の静電気の影響を除去することができ、吸引電動機の誤動作を防止できる。
【００２７】
それ故、電気的接点をホース接続部２１の上部になるように配置しなくても、電気的接点がホース継手部の挿入口の側部（横）になるように配置することができるので、ホース接続部カバー内の空間を有効に利用でき、ホース接続部カバーの縦方向の高さを低くでき、デザインの面でもスッキリしたものにすることができる。本発明の技術思想はキャニスタタイプの電気掃除機に限らず他のタイプの電気掃除機にも適用できるものである。
【図面の簡単な説明】
【００２８】
【図１】ホース接続部カバーを装着した電気掃除機本体の正面斜視図。
【図２】ホース接続部カバーを装着した電気掃除機本体の裏面斜視図。
【図３】ホース接続部カバーを取外した電気掃除機本体の正面斜視図。
【図４】ホース接続部カバーの裏面構成図。
【図５】ホース接続部カバーと電気掃除機本体のホース接続部の装着推移断面図。
【図６】ホース接続部カバーを装着した電気掃除機本体の後面断面図。
【図７】電気掃除機の通常使用状態の斜視図。
【符号の説明】
【００２９】
１            電気掃除機本体
２            吸気口
３            可撓性ホース
４            延長管
５            床用吸込具
６            接続管
７            手元制御部（スイッチ）
８            把手部
９            ホース継手部
１０          ホース接続部カバー
１１          ホース継手部挿入口
１２          ホース接続部カバーに形成された延長リブ
１３          把手口
１４，１５    雌端子収納部
１６          固定部材
１７，１８    ネジ孔
１９，２０    雄端子挿入孔
２１          電気掃除機本体のホース接続部
２２          ホース接続部に形成された延長リブ
２３，２４    電気的接点
２５          紙パックフック
【図１】
2006149672.tif 000003
【図２】
2006149672.tif 000004
【図３】
2006149672.tif 000005
【図４】
2006149672.tif 000006
【図５】
2006149672.tif 000007
【図６】
2006149672.tif 000008
【図７】
2006149672.tif 000009